(57)【特許請求の範囲】
【請求項１】
利用者によって提示された乗車券に表示された表示オブジェクトを撮像する撮像部と、
前記撮像部により撮像された画像に基づいて、前記表示オブジェクトから区間情報、および前記乗車券の発行日時を読み取る画像処理部と、を備え、
前記画像処理部により読み取られた区間情報に基づいて、前記利用者が出場可能か否かを判定する第１判定処理と、
前記画像処理部により読み取られた前記乗車券の発行時刻を含む発行日時と、前記画像処理部により読み取られた前記区間情報に含まれる入場駅の情報および出場駅の情報と、前記入場駅から前記出場駅に向かう列車の運行状況を示す情報とに基づいて、駅構外への出場許可時刻を決定し、現在時刻と、前記決定した出場許可時刻とに基づいて、前記利用者が出場可能か否かを判定する第２判定処理と、を実行し、
前記第１判定処理と前記第２判定処理との双方において前記利用者が出場可能であると判定された場合に、前記利用者の通過を許可する、
自動改札機。
【請求項２】
前記第２判定処理において、前記現在時刻が、前記運行状況を示す情報から想定される時刻よりも早い場合、前記利用者の出場を不許可とする、
請求項１記載の自動改札機。
【請求項３】
前記第２判定処理において、更に、前記入場駅から前記出場駅に向かう列車の運行頻度を示す情報に基づいて、前記出場許可時刻を決定する、
請求項１または２記載の自動改札機。
【請求項４】
前記第２判定処理において、更に、前記入場駅から前記出場駅に向かう列車の運行速度を示す情報に基づいて、前記出場許可時刻を決定する、
請求項１または２記載の自動改札機。
【請求項５】
前記第２判定処理において、前記画像処理部により読み取られた区間情報に基づいて、前記利用者が途中下車するか否かを判定し、途中下車すると判定した場合、前記出場許可時刻を、途中下車しない場合よりも早い時刻に変更する、
請求項１乃至請求項４のいずれか１項記載の自動改札機。
【請求項６】
前記第２判定処理において、前記画像処理部により読み取られた区間情報に含まれる入場駅から出場駅までの距離と、前記入場駅から途中下車する駅までの距離とに基づいて、前記出場許可時刻を、途中下車しない場合よりも早い時刻に変更する、
請求項５記載の自動改札機。
【請求項７】
前記第２判定処理において、前記画像処理部により読み取られた前記区間情報に含まれる入場駅から、途中下車する駅までの列車の運行状況を示す情報に基づいて、前記出場許可時刻を、途中下車しない場合よりも早い時刻に変更する、
請求項５又は請求項６記載の自動改札機。
【請求項８】
前記画像処理部は、利用者によって提示された乗車券に表示された表示オブジュクトから、更に前記表示オブジェクトに対応付けられた識別情報を読み取り、
前記画像処理部により読み取られた前記識別情報をサーバ装置に送信し、前記サーバ装置から受信した情報に基づいて、前記利用者が出場可能か否かを判定する第３判定処理を更に実行し、
前記第１判定処理および前記第２判定処理の双方において前記利用者が出場可能であると判定された場合、または前記第３判定処理において前記利用者が出場可能であると判定された場合、前記利用者の通過を許可する、
請求項１乃至請求項７のいずれか１項記載の自動改札機。
【請求項９】
前記画像処理部により読み取られた識別情報が前記サーバ装置に送信された後、所定の時間以内に、前記サーバ装置から前記利用者が出場可能か否かを判定した判定結果が受信されなかった場合、前記第１判定処理および前記第２判定処理を行い、
前記画像処理部により読み取られた識別情報が前記サーバ装置に送信された後、所定の時間以内に、前記サーバ装置から前記判定結果が受信された場合、前記第３判定処理を行う、
請求項８記載の自動改札機。
【請求項１０】
請求項８または請求項９記載の自動改札機と、
前記自動改札機から取得した識別情報に対応付けられた区間情報に基づいて、前記利用者が出場可能か否かを判定するサーバ側第１判定処理、
前記自動改札機から取得した識別情報に対応付けられた前記出場許可時刻に基づいて、前記利用者が出場可能か否かを判定するサーバ側第２判定処理、
および前記サーバ側第１判定処理および前記サーバ側第２判定処理の双方において前記利用者が出場可能であると判定された場合に、前記利用者の通過を許可するサーバ側許可判定処理、
を実行するサーバ装置と、
を備える自動改札機システム。
【請求項１１】
利用者が利用する鉄道の区間である区間情報の入力を受け付ける入力部と、
前記入力部により入力された区間情報と、現在時刻と、前記区間情報に含まれる入場駅の情報および出場駅の情報と、前記入場駅から前記出場駅に向かう列車の運行状況を示す情報とに基づいて、前記利用者が駅構内から駅構外へ通過する際に、自動改札機によって通過が許可される基準の一つとなる出場許可時刻を導出する許可時刻導出部と、
前記入力部により入力された区間情報、および前記許可時刻導出部により導出された出場許可時刻を読取可能な表示オブジェクトが印刷された乗車券を発行する発行部と、
を備える券売機。
【請求項１２】
前記許可時刻導出部は、更に、前記入場駅から出場駅に向かう場合に乗車する列車の運行頻度に基づいて、前記出場許可時刻を導出する、
請求項１１記載の券売機。
【請求項１３】
前記許可時刻導出部は、更に、前記入場駅から出場駅に向かう列車の運行速度に基づいて、前記出場許可時刻を導出する、
請求項１１記載の券売機。
【請求項１４】
利用者が使用する端末装置から、前記利用者が利用する鉄道の区間である区間情報を通信によって取得するサーバ側通信部と、
前記サーバ側通信部により取得された区間情報に含まれる入場駅の情報および出場駅の情報と、現在時刻または利用開始時刻と、前記入場駅から前記出場駅に向かう列車の運行状況を示す情報とに基づいて、前記利用者が駅構内から駅構外へ通過する際に、自動改札機によって通過が許可される基準の一つとなる出場許可時刻を導出し、前記サーバ側通信部により取得された区間情報、および前記導出した出場許可時刻を読取可能な表示オブジェクトを前記端末装置が表示するための画像情報を生成し、前記サーバ側通信部を制御して、前記生成した画像情報を前記端末装置に送信させるサーバ側制御部と、
を備えるサーバ装置。
【発明の詳細な説明】
【技術分野】
【０００１】
本発明の実施形態は、自動改札機、自動改札機システム、券売機、およびサーバ装置に関する。
【背景技術】
【０００２】
従来、鉄道等の交通機関等を利用するための乗車券を処理する自動改札機が知られている。乗車券としては、磁気券やＩＣ券の他、符号化されたコード情報が表示された紙券が使用される。コード情報が表示された乗車券を処理する場合、自動改札機の側から乗車券に対して情報を書き込まないケースが多いため、利用者が乗車券を不正に使用しないように工夫する必要があった。
【先行技術文献】
【特許文献】
【０００３】
【特許文献１】特開２００９−５９３１９号公報
【発明の概要】
【発明が解決しようとする課題】
【０００４】
本発明が解決しようとする課題は、不正使用を抑制することができる自動改札機、自動改札機システム、券売機、およびサーバ装置を提供することである。
【課題を解決するための手段】
【０００５】
実施形態の実施形態の自動改札機は、撮像部と、画像処理部と、を持つ。撮像部は、利用者によって提示された乗車券に表示された表示オブジェクトを撮像する。画像処理部は、前記撮像部により撮像された画像に基づいて、前記表示オブジェクトから区間情報、および前記乗車券の発行日時を読み取る。自動改札機は、前記画像処理部により読み取られた区間情報に基づいて、前記利用者が出場可能か否かを判定する第１判定処理と、前記画像処理部により読み取られた前記乗車券の発行時刻を含む発行日時と、前記画像処理部により読み取られた前記区間情報に含まれる入場駅の情報および出場駅の情報と、前記入場駅から前記出場駅に向かう列車の運行状況を示す情報とに基づいて、駅構外への出場許可時刻を決定し、現在時刻と、前記決定した出場許可時刻とに基づいて、前記利用者が出場可能か否かを判定する第２判定処理と、を実行し、前記第１判定処理と前記第２判定処理との双方において前記利用者が出場可能であると判定された場合に、前記利用者の通過を許可する。
【図面の簡単な説明】
【０００６】
【図１】自動改札機１０を上方から見た図。
【図２】リーダ１２を上方から見た図。
【図３】自動改札機１０の機能構成を示す図。
【図４】券売機１００の構成を示す図。
【図５】情報生成部１２６により生成された乗車券情報の一例を示す図。
【図６】乗車券発行部１１４に発行された乗車券ＴＩＸの一例を示す図。
【図７】自動改札機１０により実行される処理の流れを示すフローチャート。
【図８】上面表示部２０に表示される画像の一例を示す図。
【図９】第２の実施形態の乗車券ＴＩＸ１の一例を示す図。
【図１０】第２の実施形態の自動改札機１０により実行される処理の流れを示すフローチャート。
【図１１】第３の実施形態のサーバ装置２００および携帯端末装置３００の関係を示す図。
【図１２】サーバ装置２００の構成の一例を示す図。
【図１３】サーバ装置２００が表示オブジェクトＯＢを表示するための画像情報を携帯端末装置３００に送信する過程を示すシーケンス図。
【図１４】携帯端末装置３００の表示部に表示される乗車券購入に関する画像ＩＭ１の一例を示す図。
【図１５】携帯端末装置３００の表示部に表示される画像の一例を示す図。
【図１６】第４の実施形態の自動改札機１０、券売機１００およびサーバ装置２００Ａの関係を示す図。
【図１７】自動改札機１０の制御部５０Ａの機能構成を示す図。
【図１８】第４の実施形態のサーバ装置２００Ａの機能構成を示す図。
【図１９】入場駅側または出場駅側の自動改札機１０およびサーバ装置２００Ａにより実行される入場処理または出場処理の過程を示すフローチャート。
【図２０】入場判定処理の流れを示すフローチャート。
【図２１】サーバ側記憶部２２０に記憶された乗車券情報テーブル２２６の一例を示す図。
【図２２】サーバ装置２００により実行される出場判定処理の流れを示すフローチャート。
【図２３】精算機４００の構成図。
【図２４】精算機４００により実行される処理の流れを示すフローチャート。
【発明を実施するための形態】
【０００７】
以下、実施形態の自動改札機、自動改札機システム、券売機、およびサーバ装置を、図面を参照して説明する。自動改札機は、駅の改札口に設けられる。自動改札機は、券売機により発行される乗車券ＴＩＸによって、利用者の通過を許可または禁止する。乗車券ＴＩＸは、利用者が駅構内に入場する際、または駅構外に出場する際に使用される。乗車券ＴＩＸは、例えばバーコード等の一次元コードや、ＱＲコード（登録商標）等の二次元コードといった表示オブジェクトが、紙などの媒体に印刷された紙券である。表示オブジェクトは、機械によって内容が認識可能であると共に、人が視認することによって内容が認識できないものであれば如何なる態様であってもよい。
【０００８】
（第１の実施形態）
図１は、自動改札機１０を上方から見た図である。自動改札機１０は、筐体１１と、リーダ１２と、通過センサ１８−１から１８−４と、上面表示部２０と、正面表示部２２と、扉部２４Ａおよび２４Ｂと、制御部５０とを含んでよいが、これに限られない。
【０００９】
自動改札機１０のリーダ１２は、図１のａ方向に通過しようとする利用者によって翳された乗車券ＴＩＸに表示された表示オジェクトを読み取って、読み取った情報を制御部５０に供給する。
【００１０】
図２は、リーダ１２を上方から見た図である。リーダ１２は、タッチ検出センサＳｔと、光学読取部１４と、ライト１６とを含んでよいが、これに限られない。タッチ検出センサＳｔは、パネル状に形成され、利用者の体の一部（例えば手）が触れたか否かを検出する検出面を有する。タッチ検出センサＳｔは、利用者が乗車券ＴＩＸをリーダ１２に翳す際にパネルの検出面に手を触れた場合に、検出面がタッチされている旨を示す検出信号を生成する。これにより、タッチ検出センサＳｔは、利用者によって乗車券ＴＩＸがリーダ１２に翳されたことを検出する。
【００１１】
タッチ検出センサＳｔは、例えば、抵抗膜型や、表面弾性波型、電磁誘導型、静電容量型等のタッチパネルである。また、タッチ検出センサＳｔは、可視光を透過可能な透明（または半透明）型のパネルであり、これを透過した表示オブジェクトの撮像を可能とする。なお、自動改札機１０は、タッチ検出センサＳｔに代えて、対象物（例えば手）の接近を検出する接近検出センサにより、利用者によって乗車券ＴＩＸがリーダ１２に翳された（利用者の手が所定距離以内まで接近した）ことを検出する構成を有してもよい。接近検出センサは、例えば、赤外線センサやステレオカメラ等により実現される。
【００１２】
光学読取部１４は、ＣＣＤ（Charge Coupled Device）やＣＭＯＳ（Complementary Metal Oxide Semiconductor）等の固体撮像素子を備えたカメラを含む。また、光学読取部１４は、バーコードリーダのように受光素子と増幅器、情報解読部（デコード部）等を備えるものであってもよい。
【００１３】
光学読取部１４は、利用者によって、リーダ１２に表示面を向けて提示された乗車券ＴＩＸに表示された表示オブジェクトを撮像する。光学読取部１４は、撮像した画像を制御部５０に供給する。ライト１６は、光学読取部１４が乗車券ＴＩＸを撮像する際に、乗車券ＴＩＸに向けて光を照射する。
【００１４】
通過センサ１８−１から１８−４は、例えば自動改札機１０の通路側の側面に複数設けられる。複数の通過センサ１８は、自動改札機１０により形成された通路内の利用者を検出する。通過センサ１８は、例えば赤外線センサや、光センサなどで実現される。通過センサ１８は、対向する補機に設けられた通過センサと連携して通路内の利用者を検出するものであってもよい。なお、自動改札機１０は、任意の数の通過センサを備えてよい。以下、通過センサを他の通過センサと区別しない場合は、ハイフン（−）以下の符号を省略し、単に通過センサ１８と表記する。
【００１５】
上面表示部２０は、リーダ１２に乗車券ＴＩＸが翳された場合に、制御部５０によって処理された結果を表示する。正面表示部２２は、図１のａ方向に通過可能であるか否かを示すマークや図形、文字等を表示する。正面表示部２２の表示内容または表示の有無は、制御部５０によって決定される。なお、自動改札機１０は、音声や、光で情報を出力する情報出力部（不図示）を備えてもよい。この場合、制御部５０は、情報出力部を制御して、情報出力部に音声や光の点灯等によって情報を出力させる。
【００１６】
自動改札機１０の制御部５０は、扉部２４Ａおよび対向する補機の扉部２４Ｂを開放状態または閉止状態に制御することで、図１のａ方向に通過しようとしている利用者の通過を許可または禁止する。また、以下、扉部２４Ａおよび２４Ｂを区別しない場合は、ＡまたはＢの符号を省略し、単に扉部２４と表記する。
【００１７】
なお、図１では、自動改札機１０が紙券専用機であるものとして説明するが、自動改札機１０は、ＩＣカード、磁気券、またはこれらの双方と、紙券との双方を処理可能な併用機であってもよい。また、自動改札機１０は、利用者の一方向の通過のみ許可するものに限らず、利用者の双方向の通過を許可するものであってもよい。
【００１８】
図３は、自動改札機１０の機能構成を示す図である。自動改札機１０の制御部５０は、改札機側記憶部５２と、画像処理部５８と、判定処理部６０と、通過制御部７０とを含んでよいが、これに限られない。画像処理部５８、判定処理部６０、および通過制御部７０は、ＣＰＵ（Central Processing Unit）等のプロセッサがプログラムを実行することで実現されてよい。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアで実現されてもよい。
【００１９】
改札機側記憶部５２は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。改札機側記憶部５２は、プロセッサが実行するプログラムや、各駅間（または利用距離ごと）の料金が記憶された料金テーブル５４を格納する他、自機が設置された駅の識別情報や、自機の識別情報、各駅間の距離等を格納する。
【００２０】
画像処理部５８は、光学読取部１４により撮像された画像に対してデコード等の処理を行い、ビット列などで表されるコンピュータが認識可能な情報に変換する。画像処理部５８は、表示オブジェクトにエンコードされた情報の内容を読み取る。画像処理部５８は、利用者が利用可能な区間を示す区間情報や、利用者が駅構外に出場することを許可される出場許可時刻を認識する。なお、このような画像解析の機能を、光学読取部１４が備えてもよい。区間情報とは、乗車券ＴＩＸが発券された駅（入場駅）と出場駅や、乗車券ＴＩＸが発券された駅から利用できる距離等を示す情報である。
【００２１】
判定処理部６０は、第１判定部６２と、第２判定部６４と、許可判定部６６とを含む。第１判定部６２は、画像処理部５８により認識された区間情報に基づいて、利用者が出場可能か否かを判定する。第２判定部６４は、画像処理部５８により認識された出場許可時刻に基づいて、利用者が出場可能か否かを判定する。許可判定部６６は、第１判定部６２および第２判定部６４の双方により利用者が出場可能であると判定された場合に、利用者の通過を許可する。
【００２２】
通過制御部７０は、許可判定部６６の判定結果に基づいて、利用者の通過を許可、または禁止する制御を実行する。また、通過制御部７０は、画像処理部５８によって表示オブジェクトが認識されない場合、または認識された表示オブジェクトがデコードされない場合、通過センサ１８により利用者が検出されると、利用者の通過を禁止する制御を行う。利用者の通過を禁止する制御をする場合、通過制御部７０は、扉部２４を閉止状態にしたり、上面表示部２０に通過を不許可とする表示をさせたりする。利用者の通過を許可する制御をする場合、通過制御部７０は、扉部２４を開放状態にしたり、上面表示部２０に通過を許可とする表示をさせたりする。
【００２３】
図４は、券売機１００の構成を示す図である。券売機１００は、例えば、入力部１０２と、購入画面表示部１０４と、金銭投入口１０６と、釣銭排出口１０８と、乗車券排出口１１０と、検銭部１１２と、乗車券発行部１１４と、券売機側制御部１２０と、券売機側記憶部１４０とを備える。
【００２４】
入力部１０２は、例えば、ボタン、キーボード、マウス、マイク、タッチパネル等の入力デバイスである。なお、購入画面表示部１０４がタッチパネルの場合、入力部１０２は、購入画面表示部１０４と一体として形成される。入力部１０２は、例えば、利用者から、乗車券ＴＩＸの購入を指示する入力を受け付ける。
【００２５】
購入画面表示部１０４は、例えば、ＬＣＤ（Liquid Crystal Display）や有機ＥＬ（Electroluminescence）ディスプレイなどの表示装置を含む。購入画面表示部１０４は、券売機側制御部１２０によって出力される情報に基づいて、乗車券ＴＩＸを購入するための画像を表示する。以下、購入画面表示部１０４を、上述した入力部１０２と機能が一体となったタッチパネル部と称して説明する。
【００２６】
金銭投入口１０６には、紙幣や硬貨が投入される。釣銭排出口１０８からは、釣銭が排出される。乗車券排出口１１０からは、乗車券ＴＩＸが排出される。
【００２７】
検銭部１１２は、金銭投入口１０６に投入された金銭を計数し、計数結果を券売機側制御部１２０に出力する。乗車券発行部１１４は、券売機側制御部１２０による制御によって、予めセットされた印紙に表示オブジェクトを画像として形成（印刷）する。例えば、乗車券発行部１１４は、熱転写方式やインクジェット方式で印紙に表示オブジェクトを形成する。乗車券発行部１１４は、表示オブジェクトを形成した印紙、すなわち乗車券ＴＩＸを乗車券排出口１１０から排出する。これによって、乗車券発行部１１４は、乗車券ＴＩＸを発行する。
【００２８】
券売機側制御部１２０は、券売機側表示制御部１２４と、情報生成部１２６と、発行制御部１２８とを含んでもよいが、これに限られない。これらの機能部のうち一部または全部は、ＣＰＵ等のプロセッサが券売機側記憶部１４０に記憶されたプログラムを実行することにより実現される。情報生成部１２６は、券売機の許可時刻導出部の一例である。発行制御部１２８および乗車券発行部１１４は、券売機の発行部の一例である。
【００２９】
券売機側記憶部１４０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。券売機側記憶部１４０は、プロセッサが実行するプログラムを格納する他、鉄道のダイヤである運行計画情報１４２と料金テーブル１４４とを格納する。運行計画情報１４２には、鉄道の運行計画を示す情報、駅間の距離、および各駅の設備に関する情報が記憶されている。各駅の設備に関する情報とは、駅内の各ホーム間の距離（または移動時間）や、ホームから自動改札機１０が設置された場所までの距離（または移動時間）などを含む。また、券売機側記憶部１４０には、券売機１００の処理結果、または発行した乗車券ＴＩＸの乗車券情報（後述）が記憶される。
【００３０】
券売機側表示制御部１２４は、乗車券ＴＩＸの購入画面をタッチパネル部に表示させる。乗車券ＴＩＸの購入画面とは、利用者が鉄道に乗車する区間（目的の駅または利用する区間に対する料金）を入力させるための画面である。例えば、券売機側表示制御部１２４は、券売機側記憶部１４０に予め格納された料金テーブル１４４を参照し、目的の駅、または区間ごとに定められた料金を選択させる画面をタッチパネル部に表示させる。これによって、券売機１００が設置された駅から使用することができる乗車券ＴＩＸが発行される。
【００３１】
情報生成部１２６は、乗車券情報を生成する。図５は、情報生成部１２６により生成される乗車券情報の一例を示す図である。乗車券情報とは、乗車券ＴＩＸが発行される度にインクリメント（あるいはデクリメント）される一連の番号（乗車券識別情報）と、区間情報と、乗車券ＴＩＸの発行日時を表す情報と、出場許可時刻とを含む情報である。区間情報は、自機が設置された駅の識別情報および出場駅の識別情報を含んでもよいし、自機が設置された駅の識別情報および「Ｘ駅からＹ円区間」といった料金情報を含んでもよい。
【００３２】
情報生成部１２６は、利用者によって入力された区間情報、現在時刻、および運行計画情報１４２に基づいて、入場駅から利用者により指定された目的の駅に到着するまでの到着予定時刻を導出する。入場駅とは、例えば、乗車券ＴＩＸを発券する券売機１００が設置された駅であるが、他の駅を入場駅として入力を受け付けてもよい。情報生成部１２６は、利用者が途中下車駅で列車を乗り換えて目的の駅に向かう必要がある場合、列車を乗り換える際の待ち時間や、ホーム間、ホームと自動改札機１０との間を移動する時間を加算して、到着予定時刻を導出する。また、情報生成部１２６は、導出した到着予定時刻に、所定の余裕時間を加算した時間を出場許可時刻として導出する。
【００３３】
なお、券売機１００が、前述したような料金情報の入力を区間情報として受け付けた場合、情報生成部１２６は、利用者により入力された料金で利用できる区間内で、入場駅から最も遠い距離にある駅を出場駅として到着予定時刻を導出し、出場許可時刻を導出する。
【００３４】
発行制御部１２８は、タッチパネル部に対して入力された区間情報に基づいて、乗車券ＴＩＸの発行に要する購入金額を導出する。このとき券売機側表示制御部１２４は、発行制御部１２８によって導出された購入金額をタッチパネル部に表示させる。これによって、金銭投入口１０６には、これらに対応する金銭が投入される。発行制御部１２８は、検銭部１１２による計数結果を参照し、導出した購入金額を満たすか否かを判定する。発行制御部１２８は、計数結果が購入金額を満たす場合、タッチパネル部に入力された乗車券ＴＩＸの発行パターンに従って、乗車券発行部１１４に乗車券ＴＩＸを発行させる。例えば、発行制御部１２８は、情報生成部１２６によって生成された乗車券情報をエンコードして二次元コードを生成し、この二次元コードの画像情報を印刷用の情報として乗車券発行部１１４に出力する。
【００３５】
図６は、乗車券発行部１１４に発行された乗車券ＴＩＸの一例を示す図である。乗車券ＴＩＸには、例えば、表示オブジェクトＯＢ、出場許可時刻、区間情報（入場駅および出場駅）、乗車券ＴＩＸの発行日時、および乗車券識別情報が印刷される。
【００３６】
図７は、自動改札機１０により実行される処理の流れを示すフローチャートである。本フローチャートは出場駅に設置された自動改札機１０の処理の一例である。まず、自動改札機１０が、利用者により乗車券ＴＩＸが（より厳密には、何らかの物体が）リーダ１２に翳されるまで待機する（ステップＳ１００）。利用者により乗車券ＴＩＸがリーダ１２に翳されると、光学読取部１４が、ライト１６により乗車券ＴＩＸに光が照射された状態で、利用者によりリーダ１２に翳された乗車券ＴＩＸを撮像する（ステップＳ１０２）。次に、画像処理部５８が、ステップＳ１０２で撮像された画像を取得し、取得した画像を解析する（ステップＳ１０４）。
【００３７】
次に、画像処理部５８は、表示オブジェクトＯＢが認識されたか否かを判定する（ステップＳ１０６）。表示オブジェクトＯＢが認識されなかった場合、通過センサ１８により利用者が検出されると、通過制御部７０が扉部２４を閉止状態に制御する（ステップＳ１０８）。
【００３８】
表示オブジェクトＯＢが認識された場合、第１判定部６２が、表示オブジェクトＯＢにエンコードされた区間情報を示す情報に基づいて、当該駅が区間情報の示す区間に収まっているか否を判定する（ステップＳ１１０）。当該駅とは、自動改札機１０が設置された駅のことである。
【００３９】
当該駅が区間情報の示す区間に収まっていない場合、許可判定部６６が、利用者に精算処理を促すことを示す情報を上面表示部２０に表示させ（ステップＳ１２２）、扉部２４を所定時間の間、閉止状態にする（ステップＳ１２４）。
【００４０】
当該駅が区間情報の示す区間に収まっている場合、第１判定部６２が、表示オブジェクトＯＢにエンコードされた区間情報を示す情報に基づいて、当該駅が途中下車駅であるか否かを判定する（ステップＳ１１２）。
【００４１】
当該駅が途中下車駅である場合、第２判定部６４が、表示オブジェクトＯＢにエンコードされた入場駅の情報、および改札機側記憶部５２により記憶された各駅間の距離の情報に基づいて、途中下車駅の出場許可時刻を導出する（ステップＳ１１４）。第２判定部６４は、当該駅が途中下車駅である場合の出場許可時刻を、当該駅が出場駅である場合の出場許可時刻より早い時刻に変更する。第２判定部６４は、例えば、入場駅から出場駅までの距離（区間情報の距離）に対する入場駅から途中下車駅までの距離の割合に基づいて、出場許可時刻を導出する。より具体的には、第２判定部６４は、乗車券ＴＩＸが発券された時刻と出場許可時刻との差分の時間に、導出した距離の割合を乗算して修正時間を導出する。そして、第２判定部６４は、乗車券ＴＩＸが発券された時刻に修正時間を加算した時刻を、途中下車駅における出場許可時刻として導出する。当該駅が途中下車駅でない（目的地の駅である）場合、ステップＳ１１６の処理に進む。
【００４２】
次に、第２判定部６４が、表示オブジェクトＯＢにエンコードされた出場許可時刻、またはステップＳ１１４で変更された途中下車駅である場合の出場許可時刻に基づいて、現在の時刻が出場許可時刻以前であるか否かを判定する（ステップＳ１１６）。現在の時刻が出場許可時刻以前である場合、許可判定部６６は、扉部２４を開放状態にする（ステップＳ１１８）。
【００４３】
出場許可時刻以前でない（出場許可時刻よりも後である）場合、許可判定部６６は、係員に問い合わせをすることが必要であることを示す情報を上面表示部２０に表示させる（ステップＳ１２０）。図８は、上面表示部２０に表示される画像ＩＭの一例を示す図である。図示するように、上面表示部２０には、出場許可時刻が過ぎていること、または係員のいる窓口に向かうことを指示する情報が表示される。また、許可判定部６６は、扉部２４を所定時間の間、閉止状態にする（ステップＳ１２４）。これにより本フローチャートの１ルーチンの処理は終了する。
【００４４】
なお、ステップＳ１１４の処理において、第２判定部６４は、改札機側記憶部５２に記憶された運行計画情報に基づいて途中下車駅における出場許可時刻を導出してもよい。第２判定部６４は、例えば、運行計画情報に基づいて入場駅から途中下車駅に到着する時刻を導出し、導出した時刻に余裕時間を加算した時刻を途中下車駅に対する出場許可時刻として導出してもよい。この場合、改札機側記憶部５２には、鉄道の運行計画（鉄道ダイヤ）、各駅の設備に関する情報等が記憶されていている。
【００４５】
また、表示オブジェクトＯＢには「出場許可時刻」に代えて、「出場許可時間」がエンコードされていてもよい。出場許可時間とは、乗車券の発券から出場駅を出場することが許可される時間である。この場合、第２判定部６４は、表示オブジェクトＯＢにエンコードされた乗車券ＴＩＸの発行日時を表す日時情報に出場許可時間を加算した時刻を、出場許可時刻として導出する。
【００４６】
以上説明した第１の実施形態によれば、乗車券ＴＩＸに表示された表示オブジェクトＯＢにエンコードされた出場許可時刻に基づいて、利用者が出場可能か否かを判定することにより、乗車券ＴＩＸの不正使用を抑制することができる。例えば、利用者がＡ駅からＢ駅まで行き、Ｂ駅からＡ駅まで帰って来た後に、再度同じ乗車券ＴＩＸでＡ駅からＢ駅まで向かうといった不正使用や、Ａ駅からＢ駅まで行った利用者がＢ駅で荷物を誰かに手渡しし、Ｂ駅よりもＡ駅に近いＣ駅で出場するといった不正使用を抑制することができる。
【００４７】
（第２の実施形態）
以下、第２の実施形態について説明する。ここでは、第１の実施形態との相違点を中心に説明し、第１の実施形態と共通する機能等についての説明は省略する。第１の実施形態では、券売機１００が出場許可時刻を導出して乗車券ＴＩＸの表示オブジェクトＯＢにエンコードするものとした。これに対して、第２の実施形態では、乗車券ＴＩＸの表示オブジェクトには乗車券ＴＩＸの発行日時がエンコードおよび／または直接印刷されており、自動改札機１０の第２判定部６４が、この情報に基づいて出場許可時刻を導出する。
【００４８】
図９は、第２の実施形態の乗車券ＴＩＸ１の一例を示す図である。乗車券ＴＩＸ１には、第１の実施形態の乗車券ＴＩＸと比較すると、出場許可時刻が表記されていない。
【００４９】
また、乗車券ＴＩＸ１の表示オブジェクトＯＢにエンコードされた乗車券情報には、第１の実施形態の乗車券ＴＩＸの乗車券情報とは異なり、出場許可時刻は含まれていない。券売機１００は、このような情報がエンコード、および表示された乗車券ＴＩＸを発行する。
【００５０】
第２の実施形態の自動改札機１０の改札機側記憶部５２には、第１の実施形態の改札機側記憶部５２に記憶されている情報に加え、更に鉄道のダイヤである運行計画情報や、各駅の設備に関する情報等が記憶されている。第２の実施形態の第２判定部６４は、画像処理部５８により読み取られた表示オブジェクトＯＢにエンコードされた乗車券ＴＩＸが発行された日時と、区間情報に含まれる入場駅の情報と、改札機側記憶部５２に記憶された情報とに基づいて、利用者が出場する出場駅における出場許可時刻を導出する。
【００５１】
図１０は、第２の実施形態の自動改札機１０により実行される処理の流れを示すフローチャートである。本フローチャートは出場駅に設置された自動改札機１０の処理の一例である。
【００５２】
まず、自動改札機１０が、利用者により乗車券ＴＩＸ１がリーダ１２に翳されるまで待機する（ステップＳ１５０）。利用者により乗車券ＴＩＸ１がリーダ１２に翳されると、光学読取部１４が、ライト１６により乗車券ＴＩＸ１に光が照射された状態で、利用者によりリーダ１２に翳された乗車券ＴＩＸ１を撮像する（ステップＳ１５２）。次に、画像処理部５８が、ステップＳ１０２で撮像された画像を取得し、取得した画像を解析する（ステップＳ１５４）。
【００５３】
次に、画像処理部５８は、表示オブジェクトＯＢが認識されたか否かを判定する（ステップＳ１５６）。表示オブジェクトＯＢが認識されなかった場合、通過センサ１８により利用者が検出されると、通過制御部７０が扉部２４を閉止状態に制御する（ステップＳ１５８）。
【００５４】
表示オブジェクトＯＢが認識された場合、第１判定部６２が、表示オブジェクトＯＢにエンコードされた区間情報を示す情報に基づいて、当該駅が区間情報の示す区間に収まっているか否を判定する（ステップＳ１６０）。
【００５５】
当該駅が区間情報の示す区間に収まっていない場合、許可判定部６６が、利用者に精算処理を促すことを示す情報を上面表示部２０に表示させ（ステップＳ１６６）、扉部２４を所定時間の間、閉止状態にする（ステップＳ１７０）。
【００５６】
当該駅が区間情報の示す区間に収まっている場合、第２判定部６４が、表示オブジェクトＯＢにエンコードされた乗車券ＴＩＸ１が発行された日時と、区間情報に含まれる入場駅の情報と、改札機側記憶部５２に記憶された運行計画情報および各駅の設備に関する情報とに基づいて、利用者が出場する駅における出場許可時刻を導出する（ステップＳ１６２）。第２判定部６４は、第１の実施形態の券売機１００の情報生成部１２６が実行する処理と同様の処理により、出場許可時刻を導出する。なお、出場許可時刻の導出処理は、ステップＳ１６０の処理と並行して行われてもよい。
【００５７】
次に、第２判定部６４が、ステップＳ１６２で導出された出場許可時刻に基づいて、現在の時刻が出場許可時刻以前であるか否かを判定する（ステップＳ１６４）。現在の時刻が出場許可時刻以前である場合、許可判定部６６は、扉部２４を開放状態にする（ステップＳ１７２）。
【００５８】
出場許可時刻以前でない（出場許可時刻よりも後である）場合、許可判定部６６は、係員に問い合わせをすることが必要であることを示す情報を上面表示部２０に表示させる（ステップＳ１６８）。次に、許可判定部６６は、扉部２４を所定時間の間、閉止状態にする（Ｓ１７０）。これにより本フローチャートの１ルーチンの処理は終了する。
【００５９】
以上説明した第２の実施形態によれば、自動改札機１０の第２判定部６４が、表示オブジェクトＯＢにエンコードされた乗車券ＴＩＸ１が発行された日時と、区間情報に含まれる入場駅の情報と、改札機側記憶部５２に記憶された運行計画情報および各駅の設備に関する情報とに基づいて、出場許可時刻を導出し、現在の時刻が出場許可時刻以前の場合、利用者の出場を許可することにより、乗車券ＴＩＸの不正使用を抑制することができる。
【００６０】
（出場許可時刻の導出手法の他の例）
第１の実施形態における券売機１００の情報生成部１２６、または第２の実施形態における自動改札機１０の第２判定部６４は、以下の手法により出場許可時刻を導出してもよい。また、第１の実施形態の第２判定部６４は、利用者が途中下車する場合において、以下の手法により出場許可時刻を導出してもよい。この場合、「出場駅」を「途中下車駅」に読み替える。
【００６１】
以下、一例として情報生成部１２６の処理として説明する。情報生成部１２６は、例えば入場駅から出場駅までの距離に基づいて、出場許可時刻を導出してもよい。この場合、情報生成部１２６は、入場駅から出場駅までの距離が長くなると、余裕時間を長くして出場許可時刻が遅くなるようにする。情報生成部１２６は、例えば段階的に区分された距離の範囲と、現在時刻から出場許可時刻までの時間が互いに対応付けられたテーブル情報を参照し、出場許可時刻までの時間を導出する。そして、情報生成部１２６は、現在時刻に導出した時間を加算することで出場許可時刻を導出する。
【００６２】
また、情報生成部１２６は、入場駅から出場駅に向かう場合に利用する列車の走行速度に基づいて、出場許可時刻を導出してもよい。例えば、情報生成部１２６は、走行速度が遅い列車を利用する場合、走行速度が速い列車を利用する場合に比して、余裕時間を長くして出場許可時刻が遅くなるようにする。これにより、券売機１００は、より精度よく出場許可時刻を導出することができる。なお、この場合、入場駅から出場駅に向かう経路に対応する列車の速度は、券売機側記憶部１４０（または改札機側記憶部５２）に記憶されている。
【００６３】
また、情報生成部１２６は、上述した余裕時間を入場駅から出場駅に到着するまでの最短時間の０．５倍、１倍、２倍、または３倍未満に設定してもよい。情報生成部１２６が、余裕時間を出場許可時刻に加味することで、利用者が乗車する予定の列車に乗り遅れたり、駅構内で買い物をしたりしても出場が許可されるようにすることができる。また、情報生成部１２６は、例えば余裕時間を入場駅から出場駅に到着するまでの時間の３倍未満にすることで、利用者が入場駅から出場駅で乗車券を利用した後、再度、入場駅で乗車券を利用するような不正使用を行うことを抑制することができる。
【００６４】
また、情報生成部１２６は、入場駅から出場駅に向かうのに利用する列車の運行頻度に基づいて、余裕時間を導出してもよい。例えば、情報生成部１２６は、運行頻度が低い列車を利用する場合、運行頻度が高い列車を利用する場合に比して、余裕時間を長くして出場許可時刻が遅くなるようにする。例えば、情報生成部１２６は、入場駅から出場駅に向かうのに利用する列車の運行間隔の時間を、余裕時間として導出してもよい。これにより利用者は列車に乗り遅れた場合であっても、次の列車を利用することで出場許可時刻以前に出場駅に到着することができる。
【００６５】
また、情報生成部１２６は、上述した出場許可時刻の導出手法のうち、任意の手法を組み合わせて出場許可時刻を生成してもよい。例えば、情報生成部１２６は、各手法に基づいて導出された出場許可時刻の平均時刻を出場許可時刻として決定してもよい。また、例えば、情報生成部１２６は、各手法に基づいて導出された出場許可時刻のうち、最も遅い時刻を出場許可時刻として決定してもよい。
【００６６】
（第３の実施形態）
以下、第３の実施形態について説明する。ここでは、第１の実施形態との相違点を中心に説明し、第１の実施形態と共通する機能等についての説明は省略する。第１の実施形態では、券売機１００が表示オブジェクトＯＢを生成するものとした。これに対して、第３の実施形態では、表示オブジェクトＯＢを表示するための画像情報がサーバ装置２００により生成され、生成された画像情報が携帯端末装置３００に送信され、携帯端末装置３００によって表示オブジェクトＯＢが表示される。第３の実施形態の自動改札機１０の第２判定部６４は、携帯端末装置３００に表示された表示オブジェクトＯＢにエンコードされた情報に基づいて、利用者が出場可能か否かを判定する。
【００６７】
図１１は、第３の実施形態のサーバ装置２００および携帯端末装置３００の関係を示す図である。例えば、携帯端末装置３００は、無線基地局３１０を介してサーバ装置２００と通信を行う。例えば、利用者は、携帯端末装置３００を操作し、乗車券を購入可能なウェブサイトにアクセスして乗車券を電子的に購入する。これにより、携帯端末装置３００が備えるディスプレイ等の画面に、表示オブジェクトＯＢが表示可能となる。なお、第３の実施形態のサーバ装置２００は、自動改札機１０と通信しないサーバ装置であってもよい。
【００６８】
図１２は、サーバ装置２００の構成の一例を示す図である。サーバ装置２００は、サーバ側通信部２１０と、サーバ側制御部２１２と、サーバ側記憶部２２０とを含む。
【００６９】
サーバ側通信部２１０は、携帯端末装置３００によって送信された情報を受信する。また、サーバ側通信部２１０は、サーバ側制御部２１２の処理結果を携帯端末装置３００に送信する。
【００７０】
サーバ側制御部２１２は、携帯端末装置３００から送信された乗車券購入のための画像の送信が要求された場合、乗車券購入に必要な情報を利用者に入力させるための画像を携帯端末装置３００に送信する。また、サーバ側制御部２１２は、携帯端末装置３００から送信された乗車券購入に必要な情報に基づいて、表示オブジェクトＯＢを表示するための画像情報を生成し、サーバ側通信部２１０を制御して携帯端末装置３００に送信させる。サーバ側記憶部２２０は、プロセッサが実行するプログラムを格納する他、料金テーブル２２２、運行計画情報２２４、および各駅の設備に関する情報等を格納する。
【００７１】
図１３は、サーバ装置２００が表示オブジェクトＯＢを表示するための画像情報を携帯端末装置３００に送信する過程を示すシーケンス図である。まず、携帯端末装置３００が利用者により操作されることで、携帯端末装置３００は、携帯端末装置３００の識別情報、および購入要求信号をサーバ装置２００に送信する（ステップＳ２００）。購入要求信号は、乗車券購入に関する画像の送信を要求する信号である。次に、サーバ装置２００が、取得した携帯端末装置３００の識別情報および購入要求信号に基づいて、乗車券購入に関する画像を携帯端末装置３００に送信する（ステップＳ２０２）。
【００７２】
次に、携帯端末装置３００が、ステップＳ２０２でサーバ装置２００から送信された情報に基づいて、乗車券購入に関する画像を、自装置の表示部に表示させる（ステップＳ２０４）。図１４は、携帯端末装置３００の表示部に表示される乗車券購入に関する画像ＩＭ１の一例を示す図である。携帯端末装置３００の表示部には、例えば利用者が鉄道の利用を開始する駅である出発駅、目的地に向かうために経由する経由駅、および利用者が目的とする駅である行先駅（以下、これらを「入力情報」と称する。）を入力する乗車券購入に関する画像ＩＭ１が表示される。
【００７３】
次に、携帯端末装置３００が、利用者によって入力された入力情報をサーバ装置２００に送信する（ステップＳ２０６）。次に、サーバ装置２００のサーバ側制御部２１２が、入力情報を受信し（ステップＳ２０８）、乗車券の購入を受け付けたことを示す情報を携帯端末装置３００に送信する（ステップＳ２１０）。このときサーバ装置２００は、乗車券の購入代金の決済処理を行う。サーバ装置２００のサーバ側制御部２１２は、例えば、料金テーブル２２２を参照し、入力情報に基づいて料金を導出する。サーバ装置２００は、利用者によって入力された区間情報、現在時刻、および運行計画情報２２４に基づいて、携帯端末装置３００の通信料金の支払いに料金を加算して利用者に請求する決済処理を行ったり、利用者の所持するクレジットカードによる料金の決済処理を実行したりする。例えば、クレジットカードによる料金の決済処理を実行する場合、サーバ装置２００は、利用者にクレジットカードの番号や、暗証番号の入力を求め、携帯端末装置３００から送信されたクレジットカード番号や、暗証番号に基づいて、決済処理を実行する。これにより乗車券の購入処理が終了する。
【００７４】
以下、ステップＳ２００からステップＳ２１０の処理により乗車券ＴＩＸ１を予め購入しておいて、利用者が駅に到着すると「これから乗車する」ことを示す入力操作を携帯端末装置３００に行う。その結果、携帯端末装置３００が、利用者の操作に基づいて、表示オブジェクトＯＢを表示するための画像情報の送信を求める表示要求信号を生成し（ステップＳ２１２）、サーバ装置２００に自装置の識別情報と共に表示要求信号をサーバ装置２００に送信する（ステップＳ２１４）。
【００７５】
次に、サーバ装置２００が、表示要求信号を契機として、ステップＳ２１４で送信された携帯端末装置３００の識別情報、およびステップＳ２１４で表示要求信号が送信された時刻に基づいて、表示オブジェクトＯＢを表示するための画像情報を生成する（ステップＳ２１６）。サーバ側制御部２１２は、例えば、運行計画情報２２４および表示要求信号を取得した時刻を参照し、入力情報に含まれる利用者の区間情報に基づいて出場許可時刻を導出する。サーバ側制御部２１２は、上述した券売機１００の情報生成部１２６が実行する処理と同様の処理により出場許可時刻を導出する。サーバ側制御部２１２は、区間情報、および出場許可時刻を含む表示オブジェクトＯＢを表示するための画像情報を生成する。
【００７６】
サーバ装置２００は、表示オブジェクトＯＢを表示するための画像情報を携帯端末装置３００に送信する（ステップＳ２１８）。次に、携帯端末装置３００が、ステップＳ２１８で送信された画像情報を取得し、取得した画像情報に基づいて表示オブジェクトＯＢを自装置の表示部に表示させる（ステップＳ２２０）。
【００７７】
図１５は、携帯端末装置３００の表示部に表示される画像の一例を示す図である。携帯端末装置３００の表示部には、例えば表示オブジェクトＯＢ、出場許可時刻、乗車券の発行日時、区間情報（入場駅、出場駅）、および乗車券識別情報が表示される。利用者は、携帯端末装置３００の表示部に表示された表示オブジェクトＯＢを入場駅の自動改札機１０に翳し駅構内に入場する。そして、出場駅で、出場許可時刻以前に表示オブジェクトＯＢを自動改札機１０に翳した場合、利用者の出場が許可される。出場駅の自動改札機１０は、上述した第１の実施形態の自動改札機１０の処理と同様の処理を実行する。
【００７８】
なお、サーバ装置２００は、乗車券購入の際に、乗車券を使用する予定の日時を利用者に入力させてもよい。この場合、サーバ装置２００は、利用者により入力された乗車券を使用する日時から使用することができる表示オブジェクトＯＢを表示するための画像情報を、携帯端末装置３００に送信する。また、サーバ装置２００は、利用者が乗車券ＴＩＸを使用する予定の日時の所定時間前（例えば１時間前）に、表示オブジェクトＯＢを表示するための画像情報を携帯端末装置３００に送信してもよい。この場合、利用者は、携帯端末装置３００を操作して表示要求信号をサーバ装置２００に送信する必要はない。
【００７９】
また、サーバ装置２００は、携帯端末装置３００に表示オブジェクトＯＢを表示するための画像情報を送信した後、所定回数以内であれば、乗車券を使用する日時の変更を利用者から受け付けてもよい。サーバ装置２００は、乗車券を使用する日時の変更を受け付けるごとに、乗車券を使用する日時を変更した表示オブジェクトＯＢを表示するための画像情報を携帯端末装置３００に送信する。
【００８０】
以上説明した第３の実施形態によれば、サーバ装置２００が、利用者に入力された区間情報、および運行計画情報２２４に基づいて生成された出場許可時刻がエンコードされた表示オブジェクトＯＢを表示するための画像情報を、携帯端末装置３００に送信する。利用者は、携帯端末装置３００に表示された表示オブジェクトＯＢを自動改札機１０に翳すことにより、鉄道を利用することができるため、第１の実施形態の効果と同様の効果を奏すると共に、利用者の利便性を向上させることができる。
【００８１】
（第４の実施形態）
以下、第４の実施形態について説明する。ここでは、第１の実施形態から第３の実施形態との相違点を中心に説明し、第１の実施形態から第３の実施形態と共通する機能等についての説明は省略する。第１の実施形態から第３の実施形態では、自動改札機１０が利用者の出場を許可することができるか否かを判定するものとした。これに対して、第４の実施形態では、サーバ装置２００Ａの側にも利用者の入出場を許可することができるか否かを判定する機能を設ける。但し、自動改札機１０がサーバ装置２００Ａに乗車券情報の送信を行ってから所定時間以内にサーバ装置２００Ａから判定結果を受信しない場合、自動改札機１０が、利用者の入出場を許可することができるか否かを判定する。以下、第１の実施形態から第３の実施形態との相違点を中心に説明する。
【００８２】
図１６は、第４の実施形態の自動改札機１０、券売機１００およびサーバ装置２００Ａの関係を示す図である。自動改札機１０および券売機１００は、それぞれ中継装置ＲＬおよびネットワークＮＷを介してサーバ装置２００Ａと通信する。なお、本実施形態の券売機１００は、サーバ装置２００Ａと通信する通信部を備える。
【００８３】
中継装置ＲＬは、自動改札機１０および券売機１００とＬＡＮ（Local Area Network）等のネットワークを介して通信を行う。また、中継装置ＲＬは、自動改札機１０または券売機１００から受信した情報を、ネットワークＮＷを介してサーバ装置２００Ａに送信する。また、中継装置ＲＬは、サーバ装置２００Ａから受信した情報を自動改札機１０に送信する。ネットワークＮＷは、例えば、ＬＡＮや、ＷＡＮ（Wide Area Network）等を含む。
【００８４】
図１７は、自動改札機１０の制御部５０Ａの機能構成を示す図である。制御部５０Ａの判定処理部６０Ａは、第１の実施形態の制御部５０の機能構成に加え、更に改札機側通信部５６および第３判定部６８を備える。
【００８５】
改札機側通信部５６は、画像処理部５８の処理結果、または判定処理部６０Ａの処理結果を、例えば駅の識別情報および自機の識別情報と共に、中継装置ＲＬを介してサーバ装置２００Ａに送信する。また、改札機側通信部５６は、中継装置ＲＬを介して送信された情報を受信し、受信した情報を判定処理部６０Ａに供給する。
【００８６】
第３判定部６８は、サーバ装置２００Ａに乗車券情報の送信を行ってから所定時間以内にサーバ装置２００Ａから利用者の入場可能または出場可能であるか否かを示す判定結果を取得した場合にはサーバ装置２００Ａの判定結果を採用する。一方、第３判定部６８は、所定時間以内にサーバ装置２００Ａから利用者の入場可能または出場可能であるか否かを示す判定結果を取得していない場合には第１判定部６２および第２判定部６４の判定結果を採用する。通過制御部７０は、第３判定部６８の判定結果に基づいて、上面表示部２０または扉部２４を制御する。
【００８７】
図１８は、第４の実施形態のサーバ装置２００Ａの機能構成を示す図である。サーバ装置２００Ａは、サーバ側通信部２１０Ａと、サーバ側第１判定部２１４と、サーバ側第２判定部２１６と、サーバ側許可判定部２１８とを含んでもよいが、これに限られない。
【００８８】
サーバ側通信部２１０Ａは、自動改札機１０の処理結果、自動改札機１０が保持する情報を自動改札機１０から取得する。また、サーバ側通信部２１０Ａは、券売機１００の処理結果、または券売機１００が保持する情報を券売機１００から取得する。
【００８９】
サーバ側第１判定部２１４は、サーバ側記憶部２２０に記憶された区間情報に基づいて、利用者が出場可能か否かを判定する。サーバ側第２判定部２１６は、自動改札機１０から取得した情報に基づいて、利用者の出場駅での出場が出場許可時刻以前であるか否かを判定する。サーバ側許可判定部２１８は、サーバ側第１判定部２１４およびサーバ側第２判定部２１６の双方により利用者が出場可能であると判定された場合に、利用者の通過を許可する。サーバ側記憶部２２０には、券売機１００および自動改札機１０の処理結果が乗車券情報テーブル２２６（後述）として記憶されている。なお、入出場を判定する第４の実施形態のサーバ装置２００Ａは、第３の実施形態のサーバ装置２００とは一体として機能してもよい。
【００９０】
図１９は、入場駅側または出場駅側の自動改札機１０およびサーバ装置２００Ａにより実行される入場処理または出場処理の過程を示すフローチャートである。乗車券は、第１の実施形態で説明した表示オブジェクトＯＢが表示された乗車券と、第３の実施形態で説明した表示オブジェクトＯＢが表示部に表示された携帯端末装置３００とのいずれであってもよい。
【００９１】
［入出場処理］
まず、自動改札機１０が、利用者により乗車券がリーダ１２に翳されるまで待機する（ステップＳ３００）。利用者により乗車券がリーダ１２に翳されると、自動改札機１０が、乗車券に表示された表示オブジェクトＯＢにエンコードされた情報を取得する（ステップＳ３０２）。自動改札機１０は、上述したステップＳ１０２およびステップＳ１０４の処理を実行することで乗車券に表示された表示オブジェクトＯＢにエンコードされた情報を取得する。次に、自動改札機１０が、ステップＳ３０２の処理で取得した情報、および自機の識別情報をサーバ装置２００Ａに送信する（ステップＳ３０４）。
【００９２】
次に、サーバ装置２００Ａが、ステップＳ３０４で送信された情報を取得する（ステップＳ３０６）。次に、サーバ装置２００Ａが入出場判定処理を実行する（ステップＳ３０８）。利用者の入場を判定する場合、後述する図２０の処理を実行し、利用者の出場を判定する場合、後述する図２２の処理を実行する。
【００９３】
次に、自動改札機１０の第３判定部６８が、所定時間以内にサーバ装置２００Ａの入出場判定処理の結果を取得したか否かを判定する（ステップＳ３１０）。所定時間以内にサーバ装置２００Ａの入出場判定処理の結果を取得した場合、第３判定部６８は、サーバ装置２００Ａの判定結果に基づいて入出場判定を行う（ステップＳ３１２）。
【００９４】
所定時間以内にサーバ装置２００Ａの入出場判定処理の結果を取得しなかった場合、判定処理部６０Ａは、自機において入出場判定処理を実行する（ステップＳ３１４）。この場合、自動改札機１０の第１判定部６２は、当該駅がステップＳ３０２で取得した情報に含まれる区間情報の示す区間に含まれているか否かを判定する。当該駅がステップＳ３０２で取得した情報に含まれる区間情報の示す区間に含まれている場合、第１判定部６２は、利用者の入場または出場を許可すると判定する。当該駅がステップＳ３０２で取得した情報に含まれる区間情報の示す区間に含まれていない場合、自動改札機１０は、利用者の入場または出場を不許可すると判定する。なお、出場時において、自動改札機１０は、ステップＳ３０２で取得した情報に基づいて、上述したステップＳ１１０からステップＳ１２４の処理を実行してもよい。
【００９５】
次に、自動改札機１０の判定処理部６０Ａは、ステップＳ３１２またはステップＳ３１４の入出場判定処理の結果に基づいて、利用者の入場または出場を許可することができるか否かを判定する（ステップＳ３１６）。利用者の入場または出場を許可することができる場合、判定処理部６０Ａは、扉部２４を開放状態にする（ステップＳ３１８）。利用者の入場または出場を許可することができない場合、判定処理部６０Ａは、扉部２４を所定時間の間、閉止状態にする（ステップＳ３２０）。これにより本処理の１ルーチンは終了する。
【００９６】
［入場処理判定］
図２０は、入場判定処理の流れを示すフローチャートである。サーバ側制御部２１２は、自動改札機１０から取得した情報に含まれる乗車券ＴＩＸの識別情報が、券売機１００により発行された乗車券ＴＩＸに対応付けられた識別情報であるか否かを判定する（ステップＳ４００）。
【００９７】
図２１は、サーバ側記憶部２２０に記憶された乗車券情報テーブル２２６の一例を示す図である。乗車券情報テーブル２２６には、乗車券の識別情報に対して、入場処理が行われた表示オブジェクトＯＢであるか否かを示す情報、入場時刻、出場処理が行われた表示オブジェクトＯＢであるか否かを示す情報、出場時刻、起点時刻（乗車券ＴＩＸの購入時刻、または携帯端末装置３００が表示オブジェクトＯＢを取得した時刻）、出場許可時刻、乗車券ＴＩＸの発行駅、および区間情報が対応付けられている。サーバ側制御部２１２は、乗車券情報テーブル２２６を参照し、取得した情報が券売機１００により発行された乗車券ＴＩＸに対応付けられた識別情報であるか否かを判定する。券売機１００により発行された乗車券ＴＩＸに対応付けられた識別情報でない場合、ステップＳ４０８の処理に進む。
【００９８】
券売機１００により発行された乗車券ＴＩＸに対応付けられた識別情報である場合、サーバ側第１判定部２１４は、乗車券情報テーブル２２６を参照し、入場駅が区間情報の示す区間に収まっているか否かを判定する（ステップＳ４０２）。入場駅が区間情報の示す区間に収まっていない場合、ステップＳ４０８の処理に進む。入場駅が区間情報の示す区間に収まっている場合、サーバ側制御部２１２は、乗車券情報テーブル２２６を参照し、乗車券ＴＩＸが未使用であるか否かを判定する（ステップＳ４０４）。
【００９９】
サーバ側許可判定部２１８は、上述したステップ４００からステップＳ４０４までの判定結果がすべて肯定的である場合、当該乗車券ＴＩＸでの利用者の入場を許可すると判定する。この場合、サーバ側許可判定部２１８は、入場許可の判定結果を自動改札機１０に送信する（ステップＳ４０６）。サーバ側許可判定部２１８は、上述したステップ４００からステップＳ４０４までの判定結果のうちいずれかが否定的である場合、当該乗車券ＴＩＸでの利用者の入場を不許可すると判定する。この場合、サーバ側許可判定部２１８は、入場不許可の判定結果を自動改札機１０に送信する（ステップＳ４０８）。これにより入場判定処理の１ルーチンは終了する。
【０１００】
［出場処理判定］
図２２は、サーバ装置２００Ａにより実行される出場判定処理の流れを示すフローチャートである。まず、サーバ側制御部２１２が、乗車券情報テーブル２２６を参照し、利用者により翳された乗車券ＴＩＸは、既に入場処理判定が行われた乗車券ＴＩＸであるか否かを判定する（ステップＳ６００）。未だ入場処理判定が行われていない乗車券ＴＩＸである場合、サーバ側許可判定部２１８は、出場不許可の判定結果を自動改札機１０に送信する（ステップＳ６１２）。
【０１０１】
既に入場処理判定が行われている乗車券ＴＩＸである場合、サーバ側第１判定部２１４が、乗車券情報テーブル２２６を参照し、当該駅が区間情報の示す区間に収まっている否かを判定する（ステップＳ６０２）。当該駅が区間情報の示す区間に収まっていない場合、サーバ側許可判定部２１８は、出場不許可の判定結果を自動改札機１０に送信する（ステップＳ６１２）。
【０１０２】
当該駅が区間情報の示す区間に収まっている場合、サーバ側第１判定部２１４が、乗車券情報テーブル２２６を参照して、当該駅が途中下車駅であるか否かを判定する（ステップＳ６０４）。当該駅が途中下車駅である場合、サーバ側第２判定部２１６は、当該駅に対する出場許可時刻を導出する（ステップＳ６０６）。サーバ側第２判定部２１６は、第２判定部６４と同様の処理により途中下車駅の出場許可時刻を導出する。
【０１０３】
当該駅が途中下車駅でない場合、ステップＳ６０８の処理に進む。次に、サーバ側第２判定部２１６は、利用者が出場駅を出場する時刻が、乗車券情報テーブル２２６に記憶されている出場許可時刻、またはステップＳ６０６で導出された出場許可時刻以前であるか否かを判定する（ステップＳ６０８）。サーバ側許可判定部２１８は、上述したステップ６００およびステップＳ６０２の判定結果がすべて肯定的であり、且つ利用者が出場駅を出場する時刻が出場許可時刻以前である場合、当該乗車券ＴＩＸでの利用者の出場を許可すると判定する。この場合、サーバ側許可判定部２１８は、出場許可の判定結果を自動改札機１０に送信する（ステップＳ６１０）。サーバ側許可判定部２１８は、上述したステップ６００、ステップＳ６０２、またはステップＳ６０８の判定結果のうちいずれかが否定的である場合、当該乗車券ＴＩＸでの利用者の出場を不許可すると判定する。この場合、サーバ側許可判定部２１８は、出場不許可の判定結果を自動改札機１０に送信する（ステップＳ６１２）。これにより本フローチャートの処理は終了する。
【０１０４】
なお、乗車券が、第２の実施形態で説明したように出場許可時刻を示す情報がエンコードされていない乗車券ＴＩＸ１である場合、サーバ装置２００Ａのサーバ側第２判定部２１６および自動改札機の第２判定部６４は、第２の実施形態の自動改札機１０の第２判定部６４と同様に、表示オブジェクトＯＢにエンコードされた乗車券ＴＩＸ１が発行された日時と、区間情報に含まれる入場駅の情報と、改札機側記憶部５２に記憶された運行計画情報とに基づいて、出場許可時刻を導出する機能を有する。
【０１０５】
以上説明した第４の実施形態によれば、サーバ装置２００Ａが判定処理を行うことで、より精度よく判定処理を行うことができる。一方、サーバ装置２００Ａの処理負荷や通信負荷が増大したなどの理由で、サーバ装置２００Ａからの応答が遅れた場合には、自動改札機１０の側で判定処理を行うため、処理の遅れによって自動改札機１０の前が渋滞するのを抑制することができる。
【０１０６】
なお、自動改札機１０は、入場時の判定処理についてはサーバ装置２００Ａに依頼し、出場時の判定処理については自機で処理を行ってもよい。例えば、利用者が入場するときに利用される自動改札機１０およびサーバ装置２００Ａは、上述したステップＳ３００からステップＳ３２０の処理を実行する。利用者が出場するときに利用される自動改札機１０は、上述したステップＳ１００からステップＳ１２４の処理を実行する。入場時にサーバ装置２００Ａに判定を依頼することで、より精度よく乗車券ＴＩＸが正規の乗車券ＴＩＸであるか否かを判定することができる。また、出場時は出場許可時刻に基づいて不正を抑制させることができる。これにより、通信負荷を抑制しつつ、不正を抑制することができる。
【０１０７】
また、出場時または入場時にサーバ装置２００Ａに判定を依頼する処理を、予め設定された時間帯毎に変更してもよい。例えば自動改札機１０を利用する利用者が多い時間帯（例えば７時から１０時、または１７時から２０時）は、自動改札機１０の第１判定部６２、および第２判定部６４が判定処理を実行し、その他の時間帯はサーバ装置２００Ａに判定処理を依頼してもよい。これにより、スムーズな入出場処理が必要な場合には、迅速に入出場の判定処理を実行することができ、正確な入出場処理が必要でない場合には、正確に入出場の判定処理を実行する。この結果、自動改札機１０は、迅速、且つ正確に入出場の判定処理を実行することができる。
【０１０８】
また、自動改札機１０は、第２判定部６４により出場駅を出場する時刻が出場許可時刻から所定時間以内であると判定された場合、サーバ装置２００Ａに判定処理の依頼を行ってもよい。この場合、サーバ装置２００Ａは、サーバ側記憶部２２０に記憶された利用者の鉄道利用の履歴に基づいて判定処理を実行することができる。この結果、自動改札機１０は、より精度よく利用者の出場駅での出場の許可の判定を行うことができる。
【０１０９】
また、自動改札機１０は、第２判定部６４により出場駅を出場する時刻が出場許可時刻から所定時間以上前であると判定された場合、サーバ装置２００Ａに判定処理の依頼を行ってもよい。出場駅を出場する時刻が出場許可時刻から所定時間以上前とは、鉄道を利用して入場駅から出場駅に向かう最短ルートで到着する時刻より前である。この場合、利用者が、不正な乗車券ＴＩＸを利用している可能性がある。サーバ装置２００Ａは、サーバ側記憶部２２０に記憶された利用者の鉄道利用の履歴に基づいて判定処理を実行する。例えば、サーバ装置２００Ａは、利用者が出場駅を出場する時刻が、鉄道の運行状況から想定される時刻より早い時間である場合、利用者の出場を不許可とする。これにより、より精度よく乗車券ＴＩＸの不正使用を抑制することができる。
【０１１０】
なお、第２判定部６４またはサーバ側第２判定部２１６は、鉄道の運行の遅延等があった場合には、利用者が出場駅を通過することができるか否かの判定処理の基準を緩めてもよい。例えば、第２判定部６４またはサーバ側第２判定部２１６は、出場許可時刻を経過した後の所定時間以内に利用者が出場駅を出場することを許可してもよい。
【０１１１】
（第５の実施形態）
以下、第５の実施形態について説明する。第５の実施形態は、利用者が乗り越しの精算を行う精算機に関するものである。
【０１１２】
図２３は、精算機４００の構成図である。精算機４００は、例えば、入力部４０２と、購入画面表示部４０４と、金銭投入部４０６と、金銭排出部４０８と、検銭部４１０と、精算機側リーダ４１２と、精算機側画像処理部４１４と、出場券発行部４１６と、出場券排出部４１８と、精算機側制御部４２０と、精算機側記憶部４４０とを含んでもよいが、これに限定されない。
【０１１３】
入力部４０２は、例えば、ボタン、キーボード、マウス、マイク、タッチパネル等のユーザインターフェースである。なお、購入画面表示部４０４がタッチパネルの場合、入力部４０２は、購入画面表示部４０４と一体として形成される。入力部４０２は、例えば、利用者から、精算処理を指示する入力を受け付ける。
【０１１４】
購入画面表示部４０４は、例えば、ＬＣＤや有機ＥＬディスプレイなどの表示装置を含む。購入画面表示部４０４は、精算機側制御部４２０によって出力される情報に基づいて、精算処理の指示を受け付けるための画像を表示する。以下、購入画面表示部４０４を、上述した入力部４０２と機能が一体となったタッチパネル部と称して説明する。
【０１１５】
金銭投入口４０６には、紙幣や硬貨が投入される。金銭排出口４０８からは、釣銭が排出される。精算機側リーダ４１２は、例えばタッチ検出センサと、光学読取部と、ライトとを含む。精算機側リーダ４１２の光学読取部が、タッチ検出センサにより乗車券ＴＩＸが精算機側リーダ４１２に翳されたことを検出すると、乗車券ＴＩＸに表示された表示オブジェクトＯＢを撮像する。ライトは、光学読取部が乗車券ＴＩＸを撮像する際に、乗車券ＴＩＸに向けて光を照射する。精算機側リーダ４１２のタッチ検出センサと自動改札機１０のリーダ１２のタッチ検出センサとの機能、精算機側リーダ４１２の光学読取部と自動改札機１０の光学読取部１４との機能、および自動改札機１０のライト１６と精算機側リーダ４１２のライトとの機能は、同様であるため説明を省略する。
【０１１６】
精算機側画像処理部４１４は、精算機側リーダ４１２の光学読取部により撮像された画像から表示オブジェクトＯＢを認識し、認識した表示オブジェクトＯＢをデコードして、ビット列などで表されるコンピュータが認識可能な情報に変換する。
【０１１７】
検銭部４１０は、金銭投入口４０６に投入された金銭を計数し、計数結果を精算機側制御部４２０に出力する。出場券発行部４１６は、精算機側制御部４２０による制御によって、予めセットされた印紙に表示オブジェクトＯＢを画像として形成（印刷）する。出場券発行部４１６は、表示オブジェクトＯＢを形成した印紙、すなわち出場券を出場券排出口４１８から排出する。これによって、出場券発行部４１６は、当該駅から出場するための出場券を発行する。出場券排出部４１８は、出場券を排出する。
【０１１８】
精算機側制御部４２０は、例えば、精算機側表示制御部４２４と、精算機側第１判定部４２６と、精算機側第２判定部４２８と、精算処理部４３０と、精算機側発行制御部４３２とを含んでもよいが、これに限定されない。
【０１１９】
精算機側表示制御部４２４は、精算処理部４３０の処理結果である精算処理の画面をタッチパネル部に表示させる。精算処理部４３０は、精算機側記憶部４４０に記憶された情報を参照し、乗車券ＴＩＸに表示された表示オブジェクトＯＢにエンコードされた区間情報と、精算機４００が設置された当該駅と、乗車券ＴＩＸが発行された駅とに基づいて、当該駅から出場するに必要な金額を導出する。このとき精算機側表示制御部４２４は、精算処理部４３０によって導出された金額をタッチパネル部に表示させる。利用者よって、これらに対応する金銭が金銭投入口４０６に投入されると、精算処理部４３０は、検銭部４１０による計数結果を参照し、導出した購入金額を満たすか否かを判定する。精算処理部４３０は、計数結果が購入金額を満たす場合、精算機側発行制御部４３２に出場券を発行させる。
【０１２０】
精算機側第１判定部４２６は、精算機側画像処理部４１４により読み取られた区間情報に基づいて、利用者が出場可能か否かを判定する。精算機側第２判定部４２８は、精算機側画像処理部４１４により読み取られた出場許可時刻に基づいて、利用者が出場可能か否かを判定する。精算処理部４３０は、精算機側第１判定部４２６および精算機側第２判定部４２８の双方により利用者が出場可能でないと判定した場合に、精算機側第１判定部４２６または精算機側第２判定部４２８の判定結果に基づいて、精算額を導出し、導出した精算額を示す情報をタッチパネル部に表示させる。また、利用者によって投入された金銭が購入金額を満たす場合、精算処理部４３０は、当該駅から利用者が出場するための出場券情報を生成し、生成した出場券情報をエンコードして二次元コードを生成する。精算処理部４３０は、この二次元コードを印刷用の表示オブジェクトＯＢとして精算機側発行制御部４３２に出力する。
【０１２１】
精算機側記憶部４４０は、プロセッサが実行するプログラムを格納する他、運行計画情報４４２と料金テーブル４４４とを格納する。運行計画情報４４２には、鉄道の運行計画を示す情報が記憶されている。精算機側記憶部４４０には、鉄道の運行計画、駅間の距離、各駅の設備に関する情報等が記憶されていてもよい。
【０１２２】
図２４は、精算機４００により実行される処理の流れを示すフローチャートである。まず、精算機４００が、利用者により乗車券ＴＩＸが翳されるまで待機する（ステップＳ７００）。利用者により乗車券ＴＩＸが精算機側リーダ４１２に翳されると、利用者により翳された乗車券ＴＩＸを、ライトにより乗車券ＴＩＸに光が照射された状態で撮像する（ステップＳ７０２）。次に、精算機側画像処理部４１４が、ステップＳ７０２で撮像された画像を取得し、取得した画像を解析する（ステップＳ７０４）。
【０１２３】
次に、精算機側画像処理部４１４が、表示オブジェクトＯＢが認識されたか否かを判定する（ステップＳ７０６）。表示オブジェクトＯＢが認識されなかった場合、精算機側表示制御部４２４が、タッチパネル部に受付不可を示す情報を表示させる（ステップＳ７０８）。
【０１２４】
表示オブジェクトＯＢが認識された場合、精算機側第１判定部４２６が、表示オブジェクトＯＢにエンコードされた区間情報を示す情報に基づいて、当該駅が区間情報の示す区間に収まっているか否を判定する（ステップＳ７１０）。
【０１２５】
当該駅が区間情報の示す区間に収まっていない場合、精算機側表示制御部４２４が、利用者に精算金額を示す情報をタッチパネル部に表示させる（ステップＳ７１２）。利用者により金銭投入口４０６に金銭が投入されると、精算機側発行制御部４３２が、表示オブジェクトＯＢを媒体に印刷させて出場券として発行させる（ステップＳ７１４）。
【０１２６】
当該駅が区間情報の示す区間に収まっている場合、精算機側第１判定部４２６が、表示オブジェクトＯＢにエンコードされた区間情報を示す情報に基づいて、当該駅が途中下車駅であるか否かを判定する（ステップＳ７１６）。
【０１２７】
当該駅が途中下車駅である場合、精算機側第２判定部４２８が、途中下車駅の出場許可時刻を導出する（ステップＳ７１８）。精算機側第２判定部４２８は、上述した第１の実施形態で説明した途中下車駅の出場許可時刻の導出手法を用いて、出場許可時刻を導出する。当該駅が途中下車駅でない（目的地の駅である）場合、ステップＳ７２０の処理に進む。
【０１２８】
次に、精算機側第２判定部４２８が、表示オブジェクトＯＢにエンコードされた出場許可時刻を示す情報、またはステップＳ７１８で導出された出場許可時刻に基づいて、現在の時刻が出場許可時刻以前であるか否かを判定する（ステップＳ７２０）。現在の時刻が出場許可時刻以前である場合、精算処理部４３０は、出場許可することを示す情報をタッチパネル部に表示させる（ステップＳ７２２）。
【０１２９】
現在の時刻が出場許可時刻以前でない場合、精算処理部４３０は、利用者に係員に問い合わせをすることが必要であることを示す情報をタッチパネル部に表示させる（ステップＳ７２４）。これにより本フローチャートの１ルーチンの処理は終了する。
【０１３０】
以上説明した第５の実施形態によれば、精算機４００の精算処理部４３０は、精算機側第１判定部４２６および精算機側第２判定部４２８の双方により利用者が出場可能でないと判定した場合に、精算機側第１判定部４２６または精算機側第２判定部４２８の判定結果に基づいて、利用者の通過の許可または不許可を示す情報を出力するタッチパネル部に表示させることで、利用者の利便性を向上させることができる。
【０１３１】
なお、精算機４００の精算機側第２判定部４２８は、表示オブジェクトＯＢに出場許可時刻がエンコードされていない場合、表示オブジェクトＯＢにエンコードされた乗車券ＴＩＸが発行された日時と、区間情報に含まれる入場駅の情報と、改札機側記憶部５２に記憶された運行計画情報および設備に関する情報とに基づいて、出場許可時刻を導出してもよい。
【０１３２】
以上説明した少なくともひとつの実施形態によれば、利用者によって提示された媒体に表示された表示オブジェクトを撮像する撮像部と、前記撮像部により撮像された画像に基づいて、前記表示オブジェクトにエンコードされた区間情報、および駅構外への出場許可時刻を読み取る画像処理部と、前記画像処理部により読み取られた区間情報に基づいて、前記利用者が出場可能か否かを判定する第１判定部と、現在時刻と、前記画像処理部により読み取られた前記出場許可時刻とに基づいて、前記利用者が出場可能か否かを判定する第２判定部と、前記第１判定部および前記第２判定部の双方により前記利用者が出場可能であると判定された場合に、前記利用者の通過を許可する許可判定部とを持つことにより、不正使用を抑制することができる。
【０１３３】
上記説明した実施形態は、以下のように表現することができる。
利用者によって提示された媒体に表示された表示オブジェクトを撮像する撮像部と、
前記撮像部により撮像された画像の画素信号に対して復号処理を行って、前記表示オブジェクトにエンコードされた区間情報、および駅構外への出場許可時刻を読み取る画像処理部と、
前記画像処理部により読み取られた区間情報に自駅が収まっている場合に、前記利用者が出場可能であると判定する第１判定部と、
現在時刻が、前記画像処理部により読み取られた前記出場許可時刻以前である場合、前記利用者が出場可能であると判定する第２判定部と、
前記第１判定部および前記第２判定部の双方により前記利用者が出場可能であると判定された場合に、前記利用者の通過を許可する許可判定部と
を備える自動改札機。
【０１３４】
上記説明した実施形態は、以下のように表現することができる。
利用者によって提示された媒体に表示された表示オブジェクトを撮像する撮像部と、
前記撮像部により撮像された画像の画素信号に対して復号処理を行って、前記表示オブジェクトにエンコードされた区間情報、および媒体の発行日時を読み取る画像処理部と、
前記画像処理部により読み取られた区間情報に自駅が収まっている場合に、前記利用者が出場可能であると判定する第１判定部と、
鉄道の運行状況を示す情報を参照して、前記画像処理部により読み取られた前記媒体の発行日時と、前記画像処理部により読み取られた前記区間情報に含まれる入場駅の情報とに基づいて、駅構外への出場許可時刻を決定し、現在時刻が、前記決定した出場許可時刻以前である場合に、前記利用者が出場可能と判定する第２判定部と、
前記第１判定部および前記第２判定部の双方により前記利用者が出場可能であると判定された場合に、前記利用者の通過を許可する許可判定部と
を備える自動改札機。
【０１３５】
上記説明した実施形態は、以下のように表現することができる。
出場可否の判定に用いられる鉄道の利用区間を示す区間情報、および前記区間情報の入場側の駅から前記区間情報の出場側の駅を出場することができる出場許可時刻がエンコードされた表示オブジェクトが表示された、乗車券。
【０１３６】
上記説明した実施形態は、以下のように表現することができる。
利用者によって提示された媒体に表示された表示オブジュクトを撮像する撮像部と、
前記撮像部により撮像された表示オブジュクトにエンコードされた区間情報、および駅構外への出場許可時刻を決定するための時刻情報を読み取る画像処理部と、
前記画像処理部により読み取られた区間情報に基づいて、前記利用者が出場可能か否かを判定する精算機側第１判定部と、
前記画像処理部により読み取られた前記出場許可時刻を決定するための時刻情報に基づいて、前記利用者が出場可能か否かを判定する精算機側第２判定部と、
前記精算機側第１判定部および前記精算機側第２判定部の双方により前記利用者が出場可能でないと判定された場合に、前記精算機側第１判定部または前記精算機側第２判定部の判定結果に基づいて、情報を出力する出力部に利用者の通過の許可または不許可を示す情報を出力させる制御部と、
を備える精算機。
【０１３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３８】
１…自動改札機、１２…リーダ、１４…光学読取部、５０，５０Ａ…制御部、５２…改札機側記憶部、５４…料金テーブル、５６…改札機側通信部、５８…画像処理部、６０…判定処理部、６２…第１判定部、６４…第２判定部、６６…許可判定部、６８…第３判定部、７０…通過制御部、１００…券売機、１０２…入力部、１１４…乗車券発行部、１２０…券売機側制御部、１２４…券売機側表示制御部、１２６…情報生成部、１２８…発行制御部、１４０…券売機側記憶部、２００，２００Ａ…サーバ装置、２１２…サーバ側制御部、２１４…サーバ側第１判定部、２１６…サーバ側第２判定部、２１８…サーバ側許可判定部、２２０…サーバ側記憶部、３００…携帯端末装置、ＴＩＸ…乗車券
【図１】
0006666143.tif 000002
【図２】
0006666143.tif 000003
【図３】
0006666143.tif 000004
【図４】
0006666143.tif 000005
【図５】
0006666143.tif 000006
【図６】
0006666143.tif 000007
【図７】
0006666143.tif 000008
【図８】
0006666143.tif 000009
【図９】
0006666143.tif 000010
【図１０】
0006666143.tif 000011
【図１１】
0006666143.tif 000012
【図１２】
0006666143.tif 000013
【図１３】
0006666143.tif 000014
【図１４】
0006666143.tif 000015
【図１５】
0006666143.tif 000016
【図１６】
0006666143.tif 000017
【図１７】
0006666143.tif 000018
【図１８】
0006666143.tif 000019
【図１９】
0006666143.tif 000020
【図２０】
0006666143.tif 000021
【図２１】
0006666143.tif 000022
【図２２】
0006666143.tif 000023
【図２３】
0006666143.tif 000024
【図２４】
0006666143.tif 000025